(57)【要約】【課題】真空掃除機用ダスタホイールを提供する。【解決手段】本発明は、ダスタホイールを真空清掃機のブラッシュ外注面に設けて、掃除対象物に付いている異物や細菌または害虫を強く叩いて除去することができる真空掃除機用ダスタホイールに関する。本発明による真空掃除機用ダスタホイールは、真空清掃機に装着されたブラッシュの外注面に設けられるハーブと、ハーブの外注面に一端が固定され、他端は自由端を有する少なくとも１つ以上が形成される打撃羽と、を含む。【選択図】図３
2015047433.tif 000002
【特許請求の範囲】
【請求項１】
真空清掃機に装着されたブラッシュの外注面に設けられるハーブと、
前記ハーブの外注面に一端が固定され、他端は自由端を有する少なくとも１つ以上形成された打撃羽と、を含むことを特徴とする真空掃除機用ダスタホイール。
【請求項２】
前記打撃羽の他端に掃除対象物を叩くヘッドをさらに含むことを特徴とする請求項１に記載の真空掃除機用ダスタホイール。
【請求項３】
前記打撃羽は、弾性を有する柔軟な材質で製造されることを特徴とする請求項１又は２に記載の真空掃除機用ダスタホイール。
【請求項４】
前記ハーブは、貫通された内周面にダブテール溝が形成されていることを特徴とする請求項１に記載の真空掃除機用ダスタホイール。
【発明の詳細な説明】
【技術分野】
【０００１】
本発明は、真空掃除機用ダスタホイールに関し、より詳しくは、ダスタホイールを真空清掃機のブラッシュの外注面に設けて、掃除対象物に付いている異物や細菌または害虫を強く叩いて除去することができる真空掃除機用ダスタホイール(DUSTER WHEEL FOR VACUUM CLEANER)に関する。
【背景技術】
【０００２】
一般に、真空掃除機はファン回転時に発生する吸入力を利用して埃や異物を効果的に除去することができる掃除道具として広く用いられている。
【０００３】
このような真空掃除機は、通常の吸入口が底面に形成されたハウジングと、前記ハウジングの底面に回転可能に結合されている複数のローラと、ハウジングの内部に設けられて埃や異物をフィルタリングするフィルタと、埃や異物が吸入口を介して吸入できるように作動するモータ及びファンと、を含んで構成される。
【０００４】
図１は、従来のブラッシュユニットを備える真空掃除機の概略的な部分断面図であって、図２は、図１に示すブラッシュユニットの概略的な斜視図である。
【０００５】
図１及び図２に示すように、従来の真空掃除機には、外板を構成するハウジング１０が形成され、前記ハウジング１０の内部にはモータ（図示せず）の作動で回転する回転体２０’が形成されており、前記回転体２０’の外注面に形成されて回転体２０’の回転で掃除対象物に付着した埃や異物を掻き出して吸入口１１を介してハウジング１０の内部に掻き集めるブラッシュ３０’と、を含んで構成される。
【０００６】
また、従来には、特許文献１の「真空掃除機の回転ブラッシュ」に開示されたように、従来の真空掃除機は、真空掃除機の吸入ブラッシュの底面に装着されて、モータの作動により回転しながら掃除対象物の埃など異物を掻き出して掃除することになる回転ブラッシュが形成される。
【０００７】
そして、前記回転ブラッシュは、半円状の縦断面の形状を有する第１回転筒及び第２回転筒と、前記第１回転筒と前記第２回転筒との間に形成された複数個の埃払板と、からなる。
【０００８】
次に、前記のような従来の真空掃除機のブラッシュ構成によって発生する問題点を説明する。
【０００９】
すなわち、前記真空掃除機の内部に装着されたブラッシュが回転しながら掃除対象物の表面に付着している埃などの異物を単純に掻き出して掃除するので、掃除対象物に奥深く付着している異物は掻き出すことができないために、掃除対象物の異物の除去が完璧且つ円滑に行われないという問題点があった。
【先行技術文献】
【特許文献】
【００１０】
【特許文献１】大韓民国特許出願公開第１９９７−０００５２０９号明細書
【発明の概要】
【発明が解決しようとする課題】
【００１１】
本発明は、上記問題に鑑みてなされたものであり、本発明の目的とするところは、回転するブラッシュの外注面に掃除対象物を強く叩くダスタホイールを装着し、掃除対象物に付いている埃や異物を素早く分離させた上、掃き集めることができる真空掃除機用ダスタホイールを提供することである。
【課題を解決するための手段】
【００１２】
上記目的を達成するための本発明の特徴は、真空清掃機に装着されたブラッシュの外注面に設けられるハーブと、ハーブの外注面に一端が固定され、他端は自由端を有する、少なくとも１つ以上形成された打撃羽と、を含むことを特徴とする真空掃除機用ダスタホイールを開示する。
【００１３】
また、本発明は、打撃羽の他端に掃除対象物を叩くヘッドをさらに含むことを特徴とする。
【００１４】
また、本発明は、打撃羽は弾性を有する柔軟な材質から製造されることを特徴とする。
【００１５】
また、本発明は、ブラッシュと噛み合って回転するように、ハーブの貫通された内周面にダブテール溝が形成されたことを特徴とする。
【発明の効果】
【００１６】
本発明によれば、ダスタホイールは、ブラッシュと同時に回転しながら掃除対象物を早く強く叩いて、掃除対象物に堅固に付いている埃や異物を離して掃き集めることができる効果を有する。よって、真空清掃機を複数回往復させなくても掃除対象物に付いている異物や細菌または害虫を速やかに分離させて吸いこむので、掃除効率を向上させる効果がある。
【００１７】
また、ブラッシュの外注面に沿って移動可能に設けられた、少なくとも１つ以上のダスタホイールは、掃除対象物の種類に合わせて間隔や個数を調節することができ、ダスタホイールが損傷した場合に交換し易くしたため使用後の管理及び使用に便利であるという効果がある。
【図面の簡単な説明】
【００１８】
【図１】従来のブラッシュユニットを備えた真空清掃機の概略的な部分断面図である。
【図２】図１に示すブラッシュユニットの概略的な斜視図である。
【図３】本発明による真空掃除機用ダスタホイールの一実施形態を示す斜視図である。
【図４】図３に示す真空掃除機用ダスタホイールが装着された真空清掃機の構成を示す斜視図である。
【図５】図４の底面図である。
【図６】図４の切断線Ａ−Ａの断面図であって、図６（ａ）はダスタホイールが掃除対象物を叩く前の断面図であり、図６（ｂ）はダスタホイールが掃除対象物を叩く状態を示す断面図である。
【発明を実施するための形態】
【００１９】
本発明のその他の目的、特定の利点、及び新規な特徴は、添付された図面と関連した以下の詳細な説明と好適な実施形態によって明確化することができる。
【００２０】
以下で添付図面を参照しながら、本発明の好適な実施の形態について詳細に説明する。
【００２１】
まず、図３を参照すると、ダスタホイール４０はハーブ４１及び打撃羽４３を含む。ハーブ４１には、ブラッシュ３０の外注面に嵌合できるように、中央に貫通された孔４２が形成される。ダブテール溝４２ａは、孔４２の内周面に備えられ、ブラッシュ３０が回転すると同時にダスタホイール４０が回転できるようにブラッシュ３０に固定される部分である。本発明では、ダブテール溝４２ａが螺旋状に形成されているが、これに限らず、ブラッシュ３０と分離しないように固定されてブラッシュ３０と同時に回転する構造であってもかまわない。
【００２２】
打撃羽４３は、ハーブ４１の外注面に間隔を置いて少なくとも１つ以上形成されて、一端はハーブ４１の外注面に固定され、他端は自由端を有する。ヘッド４３ａは自由端である他端に形成され、掃除対象物を強く叩く役割をする。また、ヘッド４３ａは、掃除対象物１を効果的に叩かせるように打撃羽４３の他の部分よりも大きく、重量が重い。本発明では、ハーブ４１の外注面に１２０゜の等間隔に３つの打撃羽４３が備えられたものを例として説明したが、これに限定されない。
【００２３】
本発明によるダスタホイール４０は、合成樹脂で製造され、掃除対象物を強く叩かせる効果を得るために、打撃羽４３は弾性を有する柔軟な材質で製造することが好ましい。ダスタホイール４０は、ブラッシュに間隔を置いて少なくとも１つ以上装着され、掃除対象物１の種類によって間隔を調整して強く叩く効果を調節することができる。
【００２４】
図４及び図５を参照すると、本発明によるダスタホイールが装着された真空清掃機は、外観を構成するハウジング１０を備える。ハウジング１０は上下に分離されるように、側面が結合される上部ハウジング(Top Housing)１１と下部ハウジング(Bottom Housing)１２とで構成されている。上部ハウジング１１の上面には、使用者が手で握って使用するハンドル１３が形成されている。下部ハウジング１２の底部１４は、掃除対象物１の掃除のために掃除対象物１の表面と接触される。
【００２５】
空気導入口２１が外部から埃や異物を含んだ空気を取り入れることができるように底部１４の前方に形成されている。空気を排出するための空気排出口２２がハウジング１０の外面後方に形成されている。図に示されてない空気通路は空気導入口２１から空気排出口２２に空気の流れを誘導する。埃や異物の捕集するための集塵室（図示せず）はハウジング１０の内部前方に配置されるように空気通路に連結される。
【００２６】
さらに、複数の吸着防止通路２３が空気導入口２１の前方に配置された底部１４のハウジング１０の長さ方向に沿って形成されている。吸着防止通路２３は複数のリーブ(Rib)２４との間に形成されている。それぞれのリーブ２４は、掃除対象物１が空気導入口２１に吸着されることを防止する。第１及び第２リセス(Recess)２５、２６は、空気導入口２１の後方に近接するように、ハウジング１０の長さ方向に沿って底部１４に凹むように形成されている。第１リセス２５は、空気導入口２１と吸着防止通路２３と連結するように形成されている。
【００２７】
また、真空清掃機は、空気通路の後方に設けられて空気の吸入力を発生させる電気ブローファン（図示せず）を備える。電気ブローファンは、電気モータ（図示せず）と電気モータの駆動により回転するファン（図示せず）とで構成されている。電気ブローファンの駆動により空気は吸着防止通路２３と空気導入口２１とを介して空気通路に導入する。
【００２８】
また、真空清掃機は、空気中の埃や異物を濾過する濾過装置（図示せず）を備え、濾過装置は第１フィルタユニットと第２フィルタユニットとで構成されている。第１フィルタユニットは集塵室に着脱することができるように装着されている。第２フィルタユニットは、電気ブローファンの下流から空気排出口２２を介して排出される空気中の異物を濾過することができるようにハウジング１０の外面後方に装着されている。フィルタユニットは微細埃を濾過することができるヘパフィルタ(HAPA filter, High efficiency particulate arrestance filter)とも称するフレキシブルフォルデードフィルタ(Flexible folded filter)で構成されている。
【００２９】
図３ないし図６を参照すると、本発明によるダスタホイールが装着された真空清掃機は、掃除対象物１から異物を脱落させるためにハウジング１０の底部１４に設けられたブラッシュ３０を備える。ブラッシュ３０は円柱状であって、外注面に沿って等間隔に螺旋状のブラッシュ毛３１と結合溝３２とが形成されている。第１リセス２５で回転可能に設けられたブラッシュ３０は、一端に従動プーリ３３が設けられて他端に駆動プーリ３４が設けられる。駆動プーリ３４は駆動モータ３５と連結されていて、駆動モータ３５の回転力をブラッシュ３０に伝達するために駆動プーリ３４と従動プーリ３３はベルトで連結される。本発明では、プーリ及びベルトが用いられるが、チェーンやギアーなどを用いられることもできる。
【００３０】
本発明による真空清掃機は、ハウジング１０の底部１４に設けられて掃除対象物１の殺菌のために第１リセス２５に掃除対象物１に紫外線を照射する紫外線光源(Ultraviolet light source)５０を備える。紫外線光源５０は、紫外線ランプ、紫外線発光ダイオード(Ultraviolet light emitting diode, UV LED)で構成されている。
【００３１】
次に、このような構成を有する本発明による真空掃除機用ダスタホイールが装着された真空清掃機について、その作用を説明する。
【００３２】
図４及び図５を参照すると、掃除対象物１の表面にハウジング１０の底部１４が近接されている状態で、電気モータが駆動されてファンが回転すると、空気の吸入力が発生される。埃などの異物を含んでいる空気は吸着防止通路２３と空気導入口２１とを介して空気通路に導入される。空気中の埃は第１フィルタユニットのフィルタによって１次濾過される。続いて、第１フィルタユニットのフィルタを経た空気は電気ブローファンを通りながら電気モータの駆動時に発生する熱によって加熱される。空気は電気ブローファンを経て第２フィルタユニットのフィルタにより２次濾過されて空気に排出される。
【００３３】
このとき、間隔を置いて装着された複数のダスタホイール４０は、ブラッシュ３０が駆動モータ３５の回転力を受けて回転する時に一緒に回転される。回転するブラッシュ３０は、掃除対象物１の表面に付着した埃や異物をハウジング１０の空気導入口２１に掃き集める。このとき、ダスタホイール４０はブラッシュ３０の回転力により掃除対象物１の表面を強く叩く。図６（ｂ）を参照すると、打撃羽４３のヘッド４３ａが素早く掃除対象物１の表面を叩くと掃除対象物１に付いている異物や細菌または害虫が速やかに分離されてハウジング１０の空気導入口２１に吸入される。ヘッド４３ａは、掃除対象物１の表面を叩く場合にダスタホイール４０の外注面に一時的に密着された状態で変形され、掃除対象物１を叩いた後に弾性力により元の状態に復元される。
【００３４】
このように本発明による真空掃除機用ダスタホイールは、ブラッシュが回転しながら埃や異物を掃き集めると同時にダスタホイールは掃除対象物を素早く強く叩く。よって、掃除対象物に堅固に付いている埃や異物を効果的に離し、掃き集めることができ、掃除効率を向上させることができる。
【００３５】
上記説明と共に図面に示す本発明の一実施形態が本発明の技術的思想を限定するものとして解釈されてはいけない。本発明の保護範囲は、請求範囲に記載された事項のみによって制限され、本発明の技術分野で通常の知識を有する者は、本発明の技術的思想を多様な形態に改良変更することができる。したがって、このような改良及び変更は通常の知識を有する者に自明である限り、本発明の保護範囲に属するものとする。
【符号の説明】
【００３６】
１０    ハウジング
１１    上部ハウジング
１２    下部ハウジング
１３    ハンドル
１４    底部
２１    空気導入口
２２    空気排出口
２３    吸着防止通路
２４    リーブ
２５    リセス
３０    ブラッシュ
３１    ブラッシュ毛
３２    結合溝
３３    従動プーリ
３４    駆動プーリ
３５    駆動モータ
４０    ダスタホイール
４１    ハーブ
４２    孔
４２    ダブテール溝
４３    打撃羽
４３ａ    ヘッド
５０    紫外線光源
【図１】
2015047433.tif 000003
【図２】
2015047433.tif 000004
【図３】
2015047433.tif 000005
【図４】
2015047433.tif 000006
【図５】
2015047433.tif 000007
【図６】
2015047433.tif 000008
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
真空清掃機に装着されたブラッシュの外側面に取り付けられたハブと、
前記ハブの外側面に一端が固定され、他端は自由端を有する少なくとも１つ以上形成された打撃羽と、を含み、
前記ハブの中央には貫通した孔が形成されており、前記ハブは、前記ブラッシュが前記貫通した孔に嵌合されることによって、前記ブラッシュに取り付けられていることを特徴とする真空掃除機用ダスタホイール。
【請求項２】
前記打撃羽の他端に掃除対象物を叩くヘッドをさらに含むことを特徴とする請求項１に記載の真空掃除機用ダスタホイール。
【請求項３】
前記打撃羽は、ゴムで製造されることを特徴とする請求項１又は２に記載の真空掃除機用ダスタホイール。
【請求項４】
前記ハブは、貫通された内周面にダブテール溝が形成されていることを特徴とする請求項１に記載の真空掃除機用ダスタホイール。
【手続補正２】
【補正対象書類名】明細書
【補正対象項目名】０００１
【補正方法】変更
【補正の内容】
【０００１】
本発明は、真空掃除機用ダスタホイールに関し、より詳しくは、ダスタホイールを真空清掃機のブラッシュ外側面に設けて、掃除対象物に付いている異物や細菌または害虫を強く叩いて除去することができる真空掃除機用ダスタホイール(DUSTER WHEEL FOR VACUUM CLEANER)に関する。
【手続補正３】
【補正対象書類名】明細書
【補正対象項目名】０００５
【補正方法】変更
【補正の内容】
【０００５】
図１及び図２に示すように、従来の真空掃除機には、外板を構成するハウジング１０が形成され、前記ハウジング１０の内部にはモータ（図示せず）の作動で回転する回転体２０’が形成されており、前記回転体２０’の外側面に形成されて回転体２０’の回転で掃除対象物に付着した埃や異物を掻き出して吸入口１１を介してハウジング１０内部に掻き集めるブラッシュ３０’を含んで構成される。
【手続補正４】
【補正対象書類名】明細書
【補正対象項目名】００１１
【補正方法】変更
【補正の内容】
【００１１】
本発明は、上記問題に鑑みてなされたものであり、本発明の目的とするところは、回転するブラッシュの外側面に掃除対象物を強く叩くダスタホイールを装着し、掃除対象物に付いている埃や異物を素早く分離させた上、掃き集めることができる真空掃除機用ダスタホイールを提供することにする。
【手続補正５】
【補正対象書類名】明細書
【補正対象項目名】００１２
【補正方法】変更
【補正の内容】
【００１２】
上記目的を達成するための本発明の特徴は、真空清掃機に装着されたブラッシュの外側面に設けられるハブと、ハブの外側面に一端が固定され、他端は自由端を有する、少なくとも１つ以上形成された打撃羽を含むことを特徴とする真空掃除機用ダスタホイールを開示する。
【手続補正６】
【補正対象書類名】明細書
【補正対象項目名】００１５
【補正方法】変更
【補正の内容】
【００１５】
また、本発明は、ブラッシュと噛み合って回転するように、ハブの貫通された内周面にダブテール溝が形成されたことを特徴とする。
【手続補正７】
【補正対象書類名】明細書
【補正対象項目名】００１７
【補正方法】変更
【補正の内容】
【００１７】
また、ブラッシュの外側面に沿って移動可能に設けられた、少なくとも１つ以上のダスタホイールは、掃除対象物の種類に合わせて間隔や個数を調節することができ、ダスタホイールが損傷した場合に交換し易くしたため使用後の管理及び使用が便利であるという効果がある。
【手続補正８】
【補正対象書類名】明細書
【補正対象項目名】００２１
【補正方法】変更
【補正の内容】
【００２１】
まず、図３を参照すると、ダスタホイール４０はハブ４１及び打撃羽４３を含む。ハブ４１はブラッシュ３０の外側面に嵌合できるように、中央に貫通された孔４２が形成される。ダブテール溝４２ａは孔４２の内周面に備えられ、ブラッシュ３０が回転すると同時にダスタホイール４０が回転できるようにブラッシュ３０に固定される部分である。本発明では、ダブテール溝４２ａが螺旋状に形成されているが、これに限らず、ブラッシュ３０と分離しないように固定されてブラッシュ３０と同時に回転する構造であってもかまわない。
【手続補正９】
【補正対象書類名】明細書
【補正対象項目名】００２２
【補正方法】変更
【補正の内容】
【００２２】
打撃羽４３は、ハブ４１の外側面に間隔を置いて少なくとも１つ以上形成されて、一端はハブ４１の外側面に固定され、他端は自由端を有する。ヘッド４３ａは自由端である他端に形成され、掃除対象物を強く叩く役割をする。また、ヘッド４３ａは掃除対象物１を効果的に叩かせるように打撃羽４３の他の部分よりも大きく、重量が重い。本発明では、ハブ４１の外側面に１２０゜の等間隔に３つの打撃羽４３が備えられたものを例として説明したが、これに限定されない。
【手続補正１０】
【補正対象書類名】明細書
【補正対象項目名】００２９
【補正方法】変更
【補正の内容】
【００２９】
図３ないし図６を参照すると、本発明によるダスタホイールが装着された真空清掃機は、掃除対象物１から異物を脱落させるためにハウジング１０の底部１４に設けられたブラッシュ３０を備える。ブラッシュ３０は円柱状であって、外側面に沿って等間隔に螺旋状のブラッシュ毛３１と結合溝３２が形成されている。第１リセス２５で回転可能に設けられたブラッシュ３０は、一端に従動プーリ３３が設けられて他端に駆動プーリ３４が設けられる。駆動プーリ３４は駆動モータ３５と連結されていて、駆動モータ３５の回転力をブラッシュ３０に伝達するために駆動プーリ３４と従動プーリ３３はベルトで連結される。本発明では、プーリとベルトが用いられるが、チェーンやギアーなどを用いられることもできる。
【手続補正１１】
【補正対象書類名】明細書
【補正対象項目名】００３３
【補正方法】変更
【補正の内容】
【００３３】
このとき、間隔を置いて装着された複数のダスタホイール４０は、ブラッシュ３０が駆動モータ３５の回転力を受けて回転する時に一緒に回転される。回転するブラッシュ３０は、掃除対象物１の表面に付着した埃や異物をハウジング１０の空気導入口２１に掃き集める。このとき、ダスタホイール４０はブラッシュ３０の回転力により掃除対象物１の表面を強く叩く。図６（ｂ）を参照すると、打撃羽４３のヘッド４３ａが素早く掃除対象物１の表面を叩くと掃除対象物１に付いている異物や細菌または害虫が速やかに分離されてハウジング１０の空気導入口２１に吸入される。ヘッド４３ａは、掃除対象物１の表面を叩く場合にダスタホイール４０の外側面に一時的に密着された状態で変形され、掃除対象物１を叩いて後に弾性力により元の状態に復元される。
【手続補正１２】
【補正対象書類名】明細書
【補正対象項目名】００３６
【補正方法】変更
【補正の内容】
【００３６】
１０    ハウジング
１１    上部ハウジング
１２    下部ハウジング
１３    ハンドル
１４    底部
２１    空気導入口
２２    空気排出口
２３    吸着防止通路
２４    リーブ
２５    リセス
３０    ブラッシュ
３１    ブラッシュ毛
３２    結合溝
３３    従動プーリ
３４    駆動プーリ
３５    駆動モータ
４０    ダスタホイール
４１    ハブ
４２    孔
４２    ダブテール溝
４３    打撃羽
４３ａ    ヘッド
５０    紫外線光源